(57)【要約】      （修正有）【課題】簡単な構造でかつ使いやすいホワイトボード撮影補助具を提供する。【解決手段】ホワイトボード撮影補助具３は、取付部１０とアーム部２０とカメラ保持部３０と角度調整部４０とを備える。取付部１０がホワイトボード１の上辺に取付けられた状態において、アーム部２０は取付部１０からホワイトボード１の前方に延設される。アーム部２０はリンク機構を有する。関節は第１アームの立ち上がり仰俯角を設定し、関節は第１アームと第２アームのなす角を設定する。これにより、アーム部２０は、上に凸となるよう形成される。【選択図】図１
0003212258.tif 000002
【実用新案登録請求の範囲】
【請求項１】
ホワイトボードの上辺に取付けられる取付部と、
前記取付部からホワイトボードの前方に延設されるアーム部と、
前記アーム部先端に設けられるカメラ保持部と、
前記カメラ保持部の仰俯角を調整する角度調整部と
を備えることを特徴とするホワイトボード撮影補助具。
【請求項２】
前記取付部がホワイトボードの上辺に取付けられた状態において、
前記アーム部は、上に凸となるよう形成される
ことを特徴とする請求項１記載のホワイトボード撮影補助具。
【請求項３】
前記取付部がホワイトボードの上辺に取付けられた状態において、
前記アーム部は、取付部からの立ち上り位置においてホワイトボードの後方に延設され、後方位置よりホワイトボードの前方に延設される
ことを特徴とする請求項１または２記載のホワイトボード撮影補助具。
【請求項４】
前記アーム部において、後方に延設される部分の単位長さ当たりの重さは、前方に延設される部分の単位長当たりの重さより、重い
ことを特徴とする請求項３記載のホワイトボード撮影補助具。
【請求項５】
前記取付部がホワイトボードの上辺に取付けられた状態において、
前記取付部の背面側にバラストを有する
ことを特徴とする請求項１〜４いずれか記載のホワイトボード撮影補助具。
【請求項６】
前記カメラ保持部に保持されるカメラは、広角レンズを有する
ことを特徴とする請求項１〜５いずれか記載のホワイトボード撮影補助具。
【考案の詳細な説明】
【技術分野】
【０００１】
本考案はホワイトボードの板面を撮影することを補助するホワイトボード撮影補助具に関するものである。
【背景技術】
【０００２】
会議や講義では、ホワイトボードに板書されることが多い。一方で、ＩＴ技術の活用により遠隔地にいても、会議や講義に参加できる。その際、ホワイトボードの板書はカメラによりリアルタイムに撮影され、撮影画像はパーソナルコンピュータ等を介して転送され、遠隔地にあるモニタに映し出される。遠隔地側の会議や講義の参加者は、モニタを見ながら会議や講義に参加する。
【０００３】
一般に、ホワイトボードから所定距離離れた正面位置にカメラを設置し、ホワイトボードを撮影する。しかしながら、会議や講義の参加者が障害となって、板書の一部が隠れるおそれがある。
【０００４】
これに対し、ホワイトボード上辺から前面にアームを延設し、アーム先端にカメラを設置する技術が提案されている（例えば特許文献１または２）。
【０００５】
これらの従来技術によれば、会議や講義の参加者が障害となって、板書の一部が隠れるおそれはない。
【先行技術文献】
【特許文献】
【０００６】
【特許文献１】ＣＮ２０２２３１７８６Ｕ号公報
【特許文献２】特開２０１４―０７５６４０号公報
【考案の概要】
【考案が解決しようとする課題】
【０００７】
特許文献１の技術において、回動機構により、撮影位置となる板面の正面方向にアームを延出させた状態と、収納位置となる板面の上部枠にアームを沿わせた状態とに切替可能である。
【０００８】
特許文献１の回動機構は、ホワイトボード上辺付近から水平な軌跡を形成する。その結果、アームおよびカメラはホワイトボード上辺とほぼ同じ高さとなる。ところで、ホワイトボードの高さは、板書する人の高さを想定して設定されている。つまり、アームやカメラの位置は、板書する人の頭部高さに相当する。アームやカメラは板書の際に障害となるおそれがある。物理的な障害とならなくとも、板書をする者に心理的圧迫を与えるおそれがある。
【０００９】
特許文献２の技術において、アームの長さを極力短くしている。アームの延長が短いため、板書の際に障害となり難い。一方で、撮影画像が歪むおそれがある。
【００１０】
これに対し、特許文献２では、特殊なカメラを用い、特殊な画像補正を施すことにより、適切な画像を取得している。特殊構成を用いる結果、高コストとなるおそれがある。
【００１１】
本考案は上記課題を解決するものであり、簡単な構造でかつ使いやすいホワイトボード撮影補助具を提供することを目的とする。
【課題を解決するための手段】
【００１２】
上記課題を解決する本考案のホワイトボード撮影補助具は、ホワイトボードの上辺に取付けられる取付部と、前記取付部からホワイトボードの前方に延設されるアーム部と、前記アーム部先端に設けられるカメラ保持部と、前記カメラ保持部の仰俯角を調整する角度調整部とを備える。
【００１３】
これにより、カメラをホワイトボードの略正面（正確にはやや斜め上方）に配置することができる。
【００１４】
好ましくは、前記取付部がホワイトボードの上辺に取付けられた状態において、前記アーム部は、上に凸となるよう形成される。
【００１５】
これにより、アーム部下に空間が形成されるため、板書する者に対し、物理的な障害となくこともなく、心理的圧迫を与えることもない。
【００１６】
好ましくは、前記取付部がホワイトボードの上辺に取付けられた状態において、前記アーム部は、取付部からの立ち上り位置においてホワイトボードの後方に延設され、後方位置よりホワイトボードの前方に延設される。
【００１７】
これにより、アーム部延設により発生するモーメントを低減し、安定して取り付けられる。
【００１８】
好ましくは、前記アーム部において、後方に延設される部分の単位長さ当たりの重さは、前方に延設される部分の単位長当たりの重さより、重い。
【００１９】
これにより、アーム部延設により発生するモーメントを低減し、安定して取り付けられる。
【００２０】
好ましくは、前記取付部がホワイトボードの上辺に取付けられた状態において、前記取付部の背面側にバラストを有する。
【００２１】
これにより、アーム部延設により発生するモーメントを低減し、安定して取り付けられる。
【００２２】
好ましくは、前記カメラ保持部に保持されるカメラは、広角レンズを有する。
【００２３】
これにより、補正処理することなく適切な画像が得られる。
【考案の効果】
【００２４】
本考案のホワイトボード撮影補助具は、簡単な構造でかつ使いやすい。
【図面の簡単な説明】
【００２５】
【図１】試作モデルの概略図
【図２】試作モデルの詳細図
【図３】試作モデルの詳細図
【図４】変形例（１−１）の概略図
【図５】変形例（１−２）の概略図
【図６】変形例（１−３）の概略図
【図７】取付部一例
【図８】変形例（２−２）の概略図
【図９】変形例（２−３）の概略図
【考案を実施するための形態】
【００２６】
〜試作モデル構成〜
図１は本考案のホワイトボード撮影補助具の概略図であり、図２は詳細図（特にカメラ保持部）、図３は詳細図（特にアーム部）である。図面に基づき、ホワイトボード撮影補助具の基本構成について説明する。
【００２７】
ホワイトボード撮影補助具３は、一端がホワイトボード１の上辺に取付けられ、他端にてカメラ２を保持する。カメラ２は特に限定されないが、ウェブカメラが好ましい。
【００２８】
ホワイトボード撮影補助具３は、取付部１０とアーム部２０とカメラ保持部３０と角度調整部４０とを備える。
【００２９】
取付部１０はホワイトボード１の上辺に取付けられ、ホワイトボード撮影補助具３を固定する。略コの字の開放部にホワイトボードが位置し、ネジを締めることにより、円盤がホワイトボードを押圧する。
【００３０】
取付部１０がホワイトボード１の上辺に取付けられた状態において、アーム部２０は取付部１０からホワイトボード１の前方に延設される。
【００３１】
試作モデルのアーム部２０は、市販のデスク取付型マイクスタンドを改良したものである。アーム部２０はリンク機構を有する。すなわち、第１アーム２１と第２アーム２２と第１関節２３と第２関節２４とを有している。アーム部２０の両端には、取付部１０と角度調整部４０が設けられている。
【００３２】
関節２３は第１アーム２１の立ち上がり仰俯角を設定し、関節２４は第１アーム２１と第２アーム２２のなす角を設定する。
【００３３】
これにより、取付部１０がホワイトボード１の上辺に取付けられた状態において、アーム部２０は、上に凸となるよう形成される。言い換えると、頂部および頂部下の空間が形成される。
【００３４】
アーム部２０には、角度調整部４０を介してカメラ保持部３０が設けられる。
【００３５】
試作モデルのカメラ保持部３０は、市販のスマートフォンホルダを改良したものである。可動式の受部を有し、弾性力の作用により、カメラ２を挟持する。
【００３６】
角度調整部４０はカメラ保持部３０の仰俯角を調整可能である。
【００３７】
〜作用・効果〜
上記試作モデルにより以下の作用・効果を確認した。
【００３８】
アーム部２０を伸長させることにより、ホワイトボード板面からカメラまでの距離を８００ｍｍ程度確保できた。また、角度調整部４０により、カメラ２をホワイトボード１の略正面（正確にはやや斜め上方）に配置することができた。
【００３９】
市販されているホワイトボード（板面寸法  横１８００ｍｍ×縦９００ｍｍ）（上辺高さ１８００ｍｍ）を市販されている広角レンズを有するウェブカメラにより撮影した画像を、パーソナルコンピュータに取り込んだところ、画像補正処理せずに、視認できた。
【００４０】
ホワイトボード板面からカメラまでの距離は、６００〜１５００ｍｍ程度が好ましく、更に８００〜１２００ｍｍ程度好ましい。
【００４１】
板書最中は、板書する者が障害となって板書の一部が隠れるが、通常、板書する者は板書後説明の為に左右に移動するので、実際での使用上、問題にならないことを確認した。
【００４２】
アーム部２０が上に凸となることにより、アーム部の下に空間が形成されるため、板書する者に対し、物理的な障害となくこともなく、心理的圧迫を与えることもないことを確認した。
【００４３】
アーム部２０はリンク機構を有している為、折り畳み可能であり、取付部１０により取付取外し可能であり、不使用時はコンパクトに収納できる。
【００４４】
以上のように、試作モデルは使いやすい。また、試作モデルは、市販されている各種別物品を改良し、適宜組み合わせているように、簡単な構成である。
【００４５】
〜変形例１〜
試作モデルを参考に、アーム部２０の構成を変更して同様なホワイトボード撮影補助具３を検討した。
【００４６】
図４は変形例１−１に係るホワイトボード撮影補助具の概略図である。なお、カメラ２、カメラ保持部３０、角度調整部４０は試作モデルと同様としてもよい。図示を省略する（以下同様）。
【００４７】
アーム部２０を蛇腹加工した金属パイプに変更する。蛇腹加工した金属パイプは金属の剛性を残しながら、蛇腹凹部において変形可能であり、任意の形状を形成する。たとえば、取付部１０がホワイトボード１の上辺に取付けられた状態において、アーム部２０が上に凸となるよう形成される。
【００４８】
変形例１−１においても、同様の作用効果を期待できる。なお、蛇腹加工した金属パイプは変形自在であり、不使用時は円状にする等コンパクトに収納できる。
【００４９】
図５は変形例１−２に係るホワイトボード撮影補助具の概略図である。
【００５０】
アーム部２０を連続する複数のパイプに変更する。図示の例では連続する３つの円弧状のパイプである。取付部１０に近い程パイプ径が太く、カメラ２に近い程パイプ径が細くなる。細いパイプ端の外径が隣接する太いパイプ端の内径に係合し、円弧状のアーム２０を形成する。
【００５１】
これにより、取付部１０がホワイトボード１の上辺に取付けられた状態において、アーム部２０が上に凸となるよう形成される。
【００５２】
変形例１−２においても、同様の作用効果を期待できる。なお、各パイプの円弧径は同じであり、太いパイプの中に細いパイプを収納可能である。
【００５３】
図６は変形例１−３に係るホワイトボード撮影補助具の概略図である。変形例１−２の変形例である。
【００５４】
図示の例では連続する３つの直線状のパイプである。取付部１０に近い程パイプ径が太く、カメラ２に近い程パイプ径が細くなる。細いパイプ端の外径が隣接する太いパイプ端の内径に係合し、直線状のアーム２０を形成する。
【００５５】
ところで、釣竿の材料として、炭素繊維強化プラスチックが用いられることが多い。炭素繊維強化プラスチックは軽くて高強度という特徴を有する。また、釣竿は適度な撓みを有する。
【００５６】
同様に、アーム２０先端にカメラ２等の自重が作用すると、直線状のアーム２０は変形し、アーム部２０が上に凸となるよう形成される。
【００５７】
変形例１−３においても、同様の作用効果を期待できる。なお、各パイプは直線状であり、太いパイプの中に細いパイプを収納可能である。
【００５８】
〜変形例２〜
上述したとおり、試作モデルのアーム部２０は、市販のデスク取付型マイクスタンドを改良したものである。マイクスタンドとして使用する場合、アームは略情報に延びるため、大きなモーメントが発生することを想定していない。
【００５９】
これに対し、本願では、アーム部２０は取付部１０からホワイトボード１の前方に延設されるため、取付部１０には大きなモーメントが発生する。したがって、構成を変更し、モーメントに対向することが好ましい。
【００６０】
図７は変形例２−１に係る取付部１０の概略図である。
【００６１】
取付部１０は、前面部１１と後面部１２を有している。前面部１１と後面部１２の間には開放部１３が形成され、その結果、断面略略コの字が形成される。
【００６２】
開放部１３内に円盤１５が配置され、開放部１３にホワイトボードが位置し、ネジ１４を締めることにより、円盤１５がホワイトボードを押圧する。
【００６３】
このとき、後面部１２は前面部１１に比べて大きい。すなわち、後面部１２がバラストとして機能し、アーム２０により発生するモーメントを低減する。
【００６４】
さらに、後面部１２内部にバラストを内設しておくと、モーメント低減効果が確実になる。その結果、ホワイトボード撮影補助具３は、ホワイトボード１の上辺に安定して取付け可能となる。
【００６５】
図８は変形例２−２に係るホワイトボード撮影補助具の概略図である。変形例１−１の変形例である。
【００６６】
取付部１０がホワイトボード１の上辺に取付けられた状態において、変形例１−１では、アーム部２０が、取付部１０からの立ち上り位置よりホワイトボード１の前方に延設されるのに対し、変形例２−２では、アーム部２０は、取付部１０からの立ち上り位置においてホワイトボード１の後方に延設され、後方位置よりホワイトボード１の前方に延設される。
【００６７】
このとき、後方に延設される部分の自重が、アーム２０が前方に回動しようとするモーメントを低減する。
【００６８】
なお、ホワイトボードの足は前後に張り出しており、ホワイトボード背面には空間が形成される。上記アーム部の後方への延設は、当該空間を利用するものであり、不利益となることはない。
【００６９】
さらに、後方に延設される部分の単位長さ当たりの重さが、前方に延設される部分の単位長当たりの重さより、重ければ、モーメント低減効果が確実になる。図示では立ち上がり付近のアームの太さがアーム先端付近の太さに比べて太くなっている。その結果、ホワイトボード撮影補助具３は、ホワイトボード１の上辺に安定して取付け可能となる。
【００７０】
図９は変形例２−３に係るホワイトボード撮影補助具の概略図である。試作モデルの変形例である。
【００７１】
変形例２−３のアーム部２０は、試作モデルのアーム部２０の上流に、第３アーム２５と第３関節２６を付加するものである。関節２６は第３アーム２５の立ち上がり仰俯角を設定し、関節２３は第３アーム２５と第１アーム２１とのなす角を設定する。関節２４は第１アーム２１と第２アーム２２のなす角を設定する。
【００７２】
その結果、取付部１０がホワイトボード１の上辺に取付けられた状態において、試作モデルでは、アーム部２０が、取付部１０からの立ち上り位置よりホワイトボード１の前方に延設されるのに対し、変形例２−３では、アーム部２０は、取付部１０からの立ち上り位置においてホワイトボード１の後方に延設され、後方位置よりホワイトボード１の前方に延設される。
【００７３】
このとき、後方に延設される部分の自重が、アーム２０が前方に回動しようとするモーメントを低減する。
【００７４】
さらに、後方に延設される部分の単位長さ当たりの重さが、前方に延設される部分の単位長当たりの重さより、重ければ、モーメント低減効果が確実になる。図示では第３アーム２５の太さが第２アーム２２の太さに比べて太くなっている。その結果、ホワイトボード撮影補助具３は、ホワイトボード１の上辺に安定して取付け可能となる。
【００７５】
〜その他〜
以上、本考案の試作モデル及ぶ変形例について説明したが、これに限定されるものではなく、本考案の技術思想の範囲で適宜変更可能である。
【符号の説明】
【００７６】
１  ホワイトボード
２  カメラ(ウェブカメラ)
３  ホワイトボード撮影補助具
１０  取付具
１１  取付具前面部
１２  取付具後面部
１３  開放部
１４  ネジ
１５  円盤
２０  アーム
２１  第１アーム
２２  第２アーム
２３  第１関節
２４  第２関節
２５  第３アーム
２６  第３関節
３０  カメラ保持部
４０  角度調整部
【図１】
0003212258.tif 000003
【図２】
0003212258.tif 000004
【図３】
0003212258.tif 000005
【図４】
0003212258.tif 000006
【図５】
0003212258.tif 000007
【図６】
0003212258.tif 000008
【図７】
0003212258.tif 000009
【図８】
0003212258.tif 000010
【図９】
0003212258.tif 000011